(57)【要約】      （修正有）【課題】Ｔａｒａｘａｃｕｍ属植物の形質転換植物を短期間で効率的に製造する方法の提供。【解決手段】Ｔａｒａｘａｃｕｍ属植物由来の組織片に、標的遺伝子又はそのフラグメント、及び、ハイグロマイシン耐性遺伝子を含むプラスミド含有のアグロバクテリウム・ツメファシエンスを感染させる感染工程、該感染工程で得られた組織片のうち、上記標的遺伝子を獲得した組織片をハイグロマイシンにより選択する選択培養工程、該選択培養工程で得られた組織片を、サイトカイニン系植物ホルモン、オーキシン系植物ホルモン、及び、炭素源を含むカルス誘導培地にてカルスを形成させるカルス誘導工程、該カルス誘導工程で得られたカルスを、植物生長ホルモン及び炭素源を含む再生誘導培地にて、不定胚、不定芽、及び、シュートを形成させる再生誘導工程、並びに、該再生誘導工程で得られたシュートを、発根培地で培養させる発根工程を含む、方法。【選択図】なし【特許請求の範囲】
【請求項１】
Ｔａｒａｘａｃｕｍ属植物由来の組織片に、標的遺伝子又はそのフラグメント、及び、ハイグロマイシン耐性遺伝子を含むプラスミドを含有するアグロバクテリウム・ツメファシエンスを感染させる感染工程、
該感染工程で得られた組織片のうち、上記標的遺伝子を獲得した組織片をハイグロマイシンにより選択する選択培養工程、
該選択培養工程で得られた組織片を、サイトカイニン系植物ホルモン、オーキシン系植物ホルモン、及び、炭素源を含むカルス誘導培地で培養してカルスを形成させるカルス誘導工程、
該カルス誘導工程で得られたカルスを、植物生長ホルモン及び炭素源を含む再生誘導培地で培養して、不定胚、不定芽及びシュートを形成させる再生誘導工程、並びに、
該再生誘導工程で得られたシュートを、発根培地で培養して、発根させる発根工程を含む、
Ｔａｒａｘａｃｕｍ属植物の形質転換植物の製造方法。
【請求項２】
前記選択培養工程が、前記感染工程で得られた組織片を、ハイグロマイシンを０．１〜２ｍｇ／Ｌの濃度で含有する選択培養培地で培養して、前記標的遺伝子を獲得した組織片を選択する工程である請求項１記載のＴａｒａｘａｃｕｍ属植物の形質転換植物の製造方法。
【請求項３】
前記カルス誘導培地中、サイトカイニン系植物ホルモンの濃度が０．５〜１．２ｍｇ／Ｌ、オーキシン系植物ホルモンの濃度が１．２ｍｇ／Ｌ未満である請求項１又は２記載のＴａｒａｘａｃｕｍ属植物の形質転換植物の製造方法。
【請求項４】
前記再生誘導培地中、植物生長ホルモンが、サイトカイニン系植物ホルモン及びオーキシン系植物ホルモンを含み、
該サイトカイニン系植物ホルモンの濃度が、０．４〜１．１ｍｇ／Ｌ、オーキシン系植物ホルモンの濃度が０．２ｍｇ／Ｌ未満である請求項１〜３のいずれかに記載のＴａｒａｘａｃｕｍ属植物の形質転換植物の製造方法。
【請求項５】
前記Ｔａｒａｘａｃｕｍ属植物が、Ｔａｒａｘａｃｕｍ  ｋｏｋ−ｓａｇｈｙｚ、又はＴａｒａｘａｃｕｍ  ｂｒｅｖｉｃｏｒｎｉｃｕｌａｔｕｍである請求項１〜４のいずれかに記載のＴａｒａｘａｃｕｍ属植物の形質転換植物の製造方法。
【発明の詳細な説明】
【技術分野】
【０００１】
本発明は、Ｔａｒａｘａｃｕｍ属植物の形質転換植物の製造方法に関する。
【背景技術】
【０００２】
現在、工業用ゴム製品に用いられている天然ゴム（ポリイソプレノイドの１種）は、トウダイグサ科のパラゴムノキ（Ｈｅｖｅａ  ｂｒａｓｉｌｉｅｎｓｉｓ）を栽培し、その植物体が有する乳管細胞で天然ゴムを生合成させ、該天然ゴムを植物から手作業により採取することで得られる。
【０００３】
現状、工業用天然ゴムは、パラゴムノキをほぼ唯一の採取源としている。またゴム製品の主原料として、様々な用途において幅広くかつ大量に用いられている。しかしながら、パラゴムノキは東南アジアや南米などの限られた地域でのみ生育可能な植物である。更に、パラゴムノキは、植樹からゴムの採取が可能な成木になるまでに７年程度を要し、また、採取出来る季節が限られる場合もある。また、成木から天然ゴムを採取できる期間は２０〜３０年に限られる。
【０００４】
今後、開発途上国を中心に天然ゴムの需要の増大が見込まれているが、上述の理由によりパラゴムノキによる天然ゴムの大幅な増産は困難である。そのため、天然ゴム資源の枯渇が懸念されており、パラゴムノキの成木以外の安定的な天然ゴムの供給源が望まれている。
【０００５】
このような状況下、パラゴムノキ以外の天然ゴムの供給源の探索が盛んに行われており、パラゴムノキ以外にもイソプレノイドを生産している植物が２０００種以上存在することが知られている。
【０００６】
新たな天然ゴムの供給源として、これらの植物を利用する場合、多量の天然ゴムを生産するためには、当該植物を大量に増殖させる必要が生じることが予想される。植物を大量に増殖させる方法としては、種子から植物を栽培する方法、挿し木により植物を増殖させる方法等が挙げられるが、これらの方法では、天候や季節等に影響されやすいため、安定的に植物を増殖できないおそれがある。
【０００７】
一方で、パラゴムノキによる天然ゴムの増産を図る動きも見られる。パラゴムノキは、播種により実生苗を育成させ成長させた後台木とし、クローン苗から得た芽を台木に継ぎ芽する事で苗を増殖させる。ただし、クローン苗から得られる芽には限りがあるため、優良品種を普及させるには、優良品種のクローン苗を大量増殖させる必要がある。
また従来のクローン増殖技術である接ぎ木は、元の木がもつ病気を一緒に継いでしまう可能性があり、罹病した苗を増殖させる可能性がある。従って、安定的に植物を増殖できる方法が望まれている。
【０００８】
ここで、植物におけるイソプレノイドの生産量を増大させるためには、例えば、耐ストレス性の向上や、植物中に蓄積されるイソプレノイド量の増大を目的として、植物を改良する方法が考えられる。植物の改良方法としては、人工交配や突然変異を利用する方法も考えられるが、所望する性質を効率的に付与することが難しく、その実現性は低いものと考えられる。そのため、植物の改良には、植物細胞に標的遺伝子を導入し、所望する性質を付与するという細胞工学的手法が利用されることになると考えられる。
【０００９】
アグロバクテリム菌を用いる従来の形質転換方法としては、アグロバクテリウム・リゾゲネスにより毛状根を形成させ、毛状根から不定芽を形成して植物体を得る方法が知られており、アグロバクテリウム・リゾゲネスを用いてタンポポを形質転換する方法が報告されている（例えば、非特許文献１参照）。
【先行技術文献】
【非特許文献】
【００１０】
【非特許文献１】チャン（Ｙｉｎｇｘｉａｏ  Ｚｈａｎｇ）、外４名、「インダストリアル  クロップス  アンド  プロダクツ（Ｉｎｄｕｓｔｒｉａｌ  Ｃｒｏｐｓ  ａｎｄ  Ｐｒｏｄｕｃｔｓ）」、２０１５年、第６６巻、ｐ．１１０−１１８
【発明の概要】
【発明が解決しようとする課題】
【００１１】
上述のように、アグロバクテリウム・リゾゲネスを用いたタンポポの形質転換方法が検討されているが、この方法は、アグロバクテリウム・リゾゲネス菌を用いることによりＲｉプラスミドが同時に組み込まれ、形質転換植物が奇形化する場合があるという問題があった。このように従来の方法では形質転換方法として改善の余地があり、Ｔａｒａｘａｃｕｍ属植物を効率的に形質転換するための方法が求められていた。
【００１２】
本発明は、前記課題を解決し、Ｔａｒａｘａｃｕｍ属植物の形質転換植物を短期間で効率的に製造する方法を提供することを目的とする。
【課題を解決するための手段】
【００１３】
本発明者らは、鋭意検討した結果、Ｔａｒａｘａｃｕｍ属植物の形質転換植物を製造することに成功した。そして、より効率的にＴａｒａｘａｃｕｍ属植物の形質転換植物を製造するための条件の検討を行い、アグロバクテリウム菌としてアグロバクテリウム・ツメファシエンスを用いることで、Ｒｉプラスミドが組み込まれることなく、また特定の植物ホルモンを添加することで効率的にカルスを誘導し、不定芽を形成させることにより、短期間で効率的に形質転換植物体を得ることができることを見出した。また、選択試薬として、ハイグロマイシンを使用することにより、効率よく組換え体の選抜が可能となることを見出した。本発明者らは、これらの知見に基づき、本発明を完成させた。
【００１４】
すなわち、本発明は、Ｔａｒａｘａｃｕｍ属植物由来の組織片に、標的遺伝子又はそのフラグメント、及び、ハイグロマイシン耐性遺伝子を含むプラスミドを含有するアグロバクテリウム・ツメファシエンスを感染させる感染工程、該感染工程で得られた組織片のうち、上記標的遺伝子を獲得した組織片をハイグロマイシンにより選択する選択培養工程、該選択培養工程で得られた組織片を、サイトカイニン系植物ホルモン、オーキシン系植物ホルモン、及び、炭素源を含むカルス誘導培地で培養してカルスを形成させるカルス誘導工程、該カルス誘導工程で得られたカルスを、植物生長ホルモン及び炭素源を含む再生誘導培地で培養して、不定胚、不定芽及びシュートを形成させる再生誘導工程、並びに、該再生誘導工程で得られたシュートを、発根培地で培養して、発根させる発根工程を含む、Ｔａｒａｘａｃｕｍ属植物の形質転換植物の製造方法に関する。
【００１５】
上記選択培養工程は、上記感染工程で得られた組織片を、ハイグロマイシンを０．１〜２ｍｇ／Ｌの濃度で含有する選択培養培地で培養して、上記標的遺伝子を獲得した組織片を選択する工程であることが好ましい。
【００１６】
上記カルス誘導培地中、サイトカイニン系植物ホルモンの濃度は０．５〜１．２ｍｇ／Ｌ、オーキシン系植物ホルモンの濃度は１．２ｍｇ／Ｌ未満であることが好ましい。
【００１７】
上記再生誘導培地中、植物生長ホルモンは、サイトカイニン系植物ホルモン及びオーキシン系植物ホルモンを含み、該サイトカイニン系植物ホルモンの濃度が、０．４〜１．１ｍｇ／Ｌ、オーキシン系植物ホルモンの濃度が０．２ｍｇ／Ｌ未満であることが好ましい。
【００１８】
上記Ｔａｒａｘａｃｕｍ属植物は、Ｔａｒａｘａｃｕｍ  ｋｏｋ−ｓａｇｈｙｚ、又はＴａｒａｘａｃｕｍ  ｂｒｅｖｉｃｏｒｎｉｃｕｌａｔｕｍであることが好ましい。
【発明の効果】
【００１９】
本発明のＴａｒａｘａｃｕｍ属植物の形質転換植物の製造方法は、Ｔａｒａｘａｃｕｍ属植物由来の組織片に、標的遺伝子又はそのフラグメント、及び、ハイグロマイシン耐性遺伝子を含むプラスミドを含有するアグロバクテリウム・ツメファシエンスを感染させる感染工程、該感染工程で得られた組織片のうち、上記標的遺伝子を獲得した組織片をハイグロマイシンにより選択する選択培養工程、該選択培養工程で得られた組織片を、サイトカイニン系植物ホルモン、オーキシン系植物ホルモン、及び、炭素源を含むカルス誘導培地で培養してカルスを形成させるカルス誘導工程、該カルス誘導工程で得られたカルスを、植物生長ホルモン及び炭素源を含む再生誘導培地で培養して、不定胚、不定芽及びシュートを形成させる再生誘導工程、並びに、該再生誘導工程で得られたシュートを、発根培地で培養して、発根させる発根工程を含むので、Ｔａｒａｘａｃｕｍ属植物の形質転換植物を短期間で効率的に製造できる。
【図面の簡単な説明】
【００２０】
【図１】実施例１で得られた再生植物体の様子を示す写真である。
【図２】実施例１におけるアガロースゲル電気泳動の試験結果を示す泳動写真である。
【発明を実施するための形態】
【００２１】
本発明の製造方法は、Ｔａｒａｘａｃｕｍ属植物由来の組織片に、標的遺伝子又はそのフラグメント、及び、ハイグロマイシン耐性遺伝子を含むプラスミドを含有するアグロバクテリウム・ツメファシエンスを感染させる感染工程、該感染工程で得られた組織片のうち、上記標的遺伝子を獲得した組織片をハイグロマイシンにより選択する選択培養工程、該選択培養工程で得られた組織片を、サイトカイニン系植物ホルモン、オーキシン系植物ホルモン、及び、炭素源を含むカルス誘導培地で培養してカルスを形成させるカルス誘導工程、該カルス誘導工程で得られたカルスを、植物生長ホルモン及び炭素源を含む再生誘導培地で培養して、不定胚、不定芽及びシュートを形成させる再生誘導工程、並びに、該再生誘導工程で得られたシュートを、発根培地で培養して、発根させる発根工程を含む製造方法である。
なお、本発明の製造方法は、上記各工程を含む限りその他の工程を含んでいてもよく、上記各工程は１回行ってもよいし、植え継ぐなどして複数回行ってもよい。
【００２２】
本発明において、カルスとは、分化していない状態の植物細胞又は分化していない状態の植物細胞塊を意味する。また、本発明において、不定胚とは、カルスから誘導された胚様の組織を意味し、不定芽とは、葉や根、茎の節間など通常では芽を生じない場所から得られる芽様の組織を意味する。また、本発明において、シュートとは、葉や幼植物を意味する。
【００２３】
Ｔａｒａｘａｃｕｍ属植物としては、特に限定されず、例えば、タンポポ（Ｔａｒａｘａｃｕｍ）、エゾタンポポ（Ｔａｒａｘａｃｕｍ  ｖｅｎｕｓｔｕｍ  Ｈ．Ｋｏｉｄｚ）、シナノタンポポ（Ｔａｒａｘａｃｕｍ  ｈｏｎｄｏｅｎｓｅ  Ｎａｋａｉ）、カントウタンポポ（Ｔａｒａｘａｃｕｍ  ｐｌａｔｙｃａｒｐｕｍ  Ｄａｈｌｓｔ）、カンサイタンポポ（Ｔａｒａｘａｃｕｍ  ｊａｐｏｎｉｃｕｍ）、セイヨウタンポポ（Ｔａｒａｘａｃｕｍ  ｏｆｆｉｃｉｎａｌｅ  Ｗｅｂｅｒ）、ロシアタンポポ（Ｔａｒａｘａｃｕｍ  ｋｏｋ−ｓａｇｈｙｚ）、Ｔａｒａｘａｃｕｍ  ｂｒｅｖｉｃｏｒｎｉｃｕｌａｔｕｍ等が挙げられる。なかでも、Ｔａｒａｘａｃｕｍ  ｋｏｋ−ｓａｇｈｙｚ、Ｔａｒａｘａｃｕｍ  ｂｒｅｖｉｃｏｒｎｉｃｕｌａｔｕｍが好ましい。
【００２４】
以下において、本発明の製造方法における各工程について説明する。
【００２５】
（アグロバクテリウム・ツメファシエンス調製工程）
本発明の方法では、標的遺伝子又はそのフラグメント、及び、ハイグロマイシン耐性遺伝子（以下、標的遺伝子等、と記載することがある。）を含むプラスミドを含有するアグロバクテリウム・ツメファシエンスをＴａｒａｘａｃｕｍ属植物由来の組織片に感染させる。そこで、まず、アグロバクテリウム・ツメファシエンスの調製方法（アグロバクテリウム・ツメファシエンス調製工程）について説明する。
【００２６】
アグロバクテリウム・ツメファシエンスを用いることで、Ｒｉプラスミドを組み込むことなく、良好な感染効率を得ることができる。
【００２７】
標的遺伝子等を含むプラスミドを含有するアグロバクテリウム・ツメファシエンスは、従来公知のいずれの手法を用いて作製してもよい。例えば、アグロバクテリウム・ツメファシエンスが有するＴｉプラスミドのＴ−ＤＮＡ領域と相同組み換え可能なプラスミドに、標的遺伝子等を組み込んだ標的遺伝子組み換え中間ベクターを作製し、該標的遺伝子組み換え中間ベクターをアグロバクテリウム・ツメファシエンスに導入してもよい。また、アグロバクテリウム法において汎用されているバイナリーベクターに標的遺伝子等を組み込んだ標的遺伝子バイナリーベクターをアグロバクテリウム・ツメファシエンスに導入してもよい。その他、標的遺伝子等を含むプラスミドをエレクトロポレーション法によってアグロバクテリウム・ツメファシエンスに導入する方法などが挙げられる。
【００２８】
本発明において、標的遺伝子とは、Ｔａｒａｘａｃｕｍ属植物に導入する目的の遺伝子を意味する。標的遺伝子としては、Ｔａｒａｘａｃｕｍ属植物に導入された結果、当該Ｔａｒａｘａｃｕｍ属植物の遺伝的形質を変化させ得るものであれば特に限定されるものではなく、導入されるＴａｒａｘａｃｕｍ属植物が本来有している遺伝子であってもよく、当該Ｔａｒａｘａｃｕｍ属植物以外の生物由来の遺伝子であってもよく、人工的に作製した遺伝子であってもよい。人工的に作製した遺伝子としては、例えば、２種類以上の遺伝子をつなぎ合わせたキメラ遺伝子であってもよく、いずれかの生物が有する遺伝子を変異させた変異遺伝子であってもよい。変異遺伝子としては、例えば、遺伝子を構成するＤＮＡの塩基配列のうちの一部の塩基を欠損させたものであってもよく、置換させたものであってもよい。また、該塩基配列の途中に部分塩基配列を挿入したものであってもよい。
【００２９】
また、標的遺伝子は、構造遺伝子であってもよく、調節領域であってもよい。例えば、プロモーターやターミネーター等の転写や翻訳の制御領域を含む構造遺伝子であってもよい。なお、制御領域の遺伝子は、遺伝子が導入されるＴａｒａｘａｃｕｍ属植物中で機能し得るものであればよく、遺伝子が導入されるＴａｒａｘａｃｕｍ属植物と同種の生物由来の遺伝子であってもよく、異種の生物由来の遺伝子であってもよいことは言うまでもない。このような異種プロモーターとしては、例えば、ＣａＭＶ３５  ｐｒｏｍｏｔｅｒ、ＮＯＳ  ｐｒｏｍｏｔｅｒ等の遺伝子組み換えに係る分野において汎用されているプロモーターを使用することができる。
【００３０】
Ｔａｒａｘａｃｕｍ属植物に導入される標的遺伝子は、遺伝子の全長であってもよく、フラグメントであってもよい。例えば、構造遺伝子の機能ドメインのみからなるフラグメントを導入するものであってもよい。
【００３１】
Ｔａｒａｘａｃｕｍ属植物に導入する標的遺伝子としては、例えば、ラテックスの生合成機構やポリイソプレン鎖延長反応に関与し、ラテックスの産生量や分子量に対して機能する遺伝子、並びに、ラテックス中に含まれる、タンパク質、イノシトール、ケブラキトールなどの糖類、ビタミンＥの一種であり天然の老化防止剤としても効果のあるトコトリエノールの生合成に関与し、その生産量に対して影響を与える遺伝子、さらには、これらのタンパク質、糖類、トコトリエノールの変異体を生ずる遺伝子等であることが好ましい。また、これらの遺伝子に組織特異的に機能するプロモーター等の調節領域を含ませることにより、標的遺伝子がコードしているタンパク質を、植物体の特定の組織において発現させることもできる。
【００３２】
標的遺伝子等には、標的遺伝子又はそのフラグメントに加え、マーカー遺伝子としてハイグロマイシン耐性遺伝子が含まれ、標的遺伝子又はそのフラグメントは、ハイグロマイシン耐性遺伝子と共にベクターに組み込まれる。そして更には、場合により、レポーター遺伝子も共にベクターに組み込まれていてもよい。
マーカー遺伝子であるハイグロマイシン耐性遺伝子は、後述する選択培養培地に含まれるハイグロマイシンに対する抵抗性を付与する選択マーカーをコードする遺伝子であり、これにより、形質転換された組織片であれば、ハイグロマイシンを含有する選択培養培地中でも生育することができ、結果、形質転換された組織片を選択的に生育させることが可能となる。
【００３３】
上記レポーター遺伝子は、これを組み込むことにより形質転換植物体中での発現位置を確認することが可能となるものであり、ルシフェラーゼ遺伝子、ＧＵＳ（βグルクロニダーゼ）遺伝子、ＧＦＰ（緑色蛍光タンパク質）、ＲＦＰ（赤色蛍光タンパク質）等が挙げられる。
【００３４】
アグロバクテリウム・ツメファシエンス調製工程では、上述の説明等の通りに作製した標的遺伝子等を含むプラスミドを含有するアグロバクテリウム・ツメファシエンスを、常法により培養（例えば、培養温度２０〜３５℃で、ＹＥＢ培地又はＬＢ培地で１０〜３０時間振とう培養）し、増殖させることにより、カルスに感染させるために必要な量を調製することができる。
【００３５】
次に、標的遺伝子等を含むプラスミドを含有するアグロバクテリウム・ツメファシエンスを感染させるＴａｒａｘａｃｕｍ属植物由来の組織片について説明する。該組織片としては、特に限定されず、例えば、葉、葉柄、葉片、茎、節、根、芽、腋芽、頂芽、花弁、子葉、胚軸、葯、種子などが挙げられ、これらを用いることができるが、必要に応じて、当該組織片を培養して得られる培養組織片を用いてもよい。そして更には、当該培養組織片を大量に増殖させて数を増やしてから用いることも可能であるし、また、当該培養組織片を更に伸長させた後に用いてもよい。
【００３６】
（感染工程）
感染工程では、Ｔａｒａｘａｃｕｍ属植物由来の組織片に、標的遺伝子又はそのフラグメント、及び、ハイグロマイシン耐性遺伝子を含むプラスミドを含有するアグロバクテリウム・ツメファシエンス（アグロバクテリウム・ツメファシエンス調製工程により得られたアグロバクテリウム・ツメファシエンス）を感染させる。
【００３７】
感染工程は、アグロバクテリウム法において一般的に行われている手法で行うことができる。例えば、アグロバクテリウム・ツメファシエンスを感染培地中に懸濁させ、該懸濁液中に、組織片を浸漬させることにより、感染させることができる。そして、浸漬後、懸濁液と、組織片をろ紙等で分離すればよい。なお、浸漬中は、静置してもよく、振とうしてもよいが、組織片にアグロバクテリウム・ツメファシエンスを感染させやすいことから、振とうすることが好ましい。
【００３８】
感染に用いられるアグロバクテリウム・ツメファシエンス懸濁液の菌濃度は、アグロバクテリウム・ツメファシエンスの増殖活性、浸漬時間等を考慮して適宜決定することができる。例えば、組織片１００個に対し、６００ｎｍで測定した吸光度（Ｏ．Ｄ．６００）が０．０１〜１．０（好ましくは０．０５〜０．８、より好ましくは０．０８〜０．６）のアグロバクテリウム・ツメファシエンス懸濁溶液１０〜５０ｍＬ（好ましくは２０〜４０ｍＬ、より好ましくは２５〜３５ｍＬ）に相当する菌体数のアグロバクテリウム・ツメファシエンスを接触させることが好ましい。これにより、組織片へ感染するアグロバクテリウム数を最適化でき、形質転換体を効率的に作製できる。
【００３９】
感染工程におけるアグロバクテリウム・ツメファシエンスと組織片の共存時間、すなわち、アグロバクテリウム・ツメファシエンスと組織片を接触させる時間は、０．５〜６０分が好ましく、１〜４０分がより好ましく、５〜３５分が更に好ましい。これにより、組織片へ感染するアグロバクテリウム数を最適化でき、形質転換体を効率的に作製できる。なお、該共存時間は、例えば、アグロバクテリウム・ツメファシエンス懸濁液中に、組織片を浸漬させる場合、浸漬時間を意味する。
【００４０】
アグロバクテリウム・ツメファシエンスを懸濁させる感染培地としては、Ｗｈｉｔｅの培地（植物細胞工学入門（学会出版センター）ｐ２０〜ｐ３６に記載）、Ｈｅｌｌｅｒの培地（Ｈｅｌｌｅｒ  Ｒ，  Ｂｏｔ．Ｂｉｏｌ．Ｖｅｇ．Ｐａｒｉｓ  １４  １−２２３（１９５３））、ＳＨ培地（ＳｃｈｅｎｋとＨｉｌｄｅｂｒａｎｄｔの培地）、ＭＳ培地（ＭｕｒａｓｈｉｇｅとＳｋｏｏｇの培地）（植物細胞工学入門（学会出版センター）ｐ２０〜ｐ３６に記載）、ＬＳ培地（ＬｉｎｓｍａｉｅｒとＳｋｏｏｇの培地）（植物細胞工学入門（学会出版センター）ｐ２０〜ｐ３６に記載）、Ｇａｍｂｏｒｇ培地、Ｂ５培地（植物細胞工学入門（学会出版センター）ｐ２０〜ｐ３６に記載）、ＭＢ培地、ＷＰ培地（Ｗｏｏｄｙ  Ｐｌａｎｔ：木本類用）等の基本培地や、該基本培地の組成に変更を加えた改変基本培地等のベースとなる培地に必要に応じて植物生長ホルモン、炭素源を加えたものを使用すればよい。なかでも、ＭＳ培地、ＬＳ培地、Ｂ５培地、ＷＰ培地が好ましく、ＭＳ培地がより好ましい。植物生長ホルモンとしては、例えば、オーキシン系植物ホルモン及び／又はサイトカイニン系植物ホルモンが挙げられ、オーキシン系植物ホルモンとしては、２，４−ジクロロフェノキシ酢酸、１−ナフタレン酢酸、インドール−３−酪酸、インドール−３−酢酸、インドールプロピオン酸、クロロフェノキシ酢酸、ナフトキシ酢酸、フェニル酢酸、２，４，５−トリクロロフェノキシ酢酸、パラクロロフェノキシ酢酸、２−メチル−４−クロロフェノキシ酢酸、４−フルオロフェノキシ酢酸、２−メトキシ−３，６−ジクロロ安息香酸、２−フェニル酸、ピクロラム、ピコリン酸等が挙げられ、また、サイトカイニン系植物ホルモンとしては、ベンジルアデニン、カイネチン、ゼアチン、ベンジルアミノプリン、イソペンチニルアミノプリン、チジアズロン、イソペンテニルアデニン、ゼアチンリポシド、ジヒドロゼアチン等が挙げられる。また、炭素源としては、特に限定されず、スクロース（ショ糖）、グルコース、トレハロース、フルクトース、ラクトース、ガラクトース、キシロース、アロース、タロース、グロース、アルトロース、マンノース、イドース、アラビノース、アピオース、マルトース等の糖類が挙げられる。
【００４１】
好適な感染培地の組成は、植物種により異なるが、通常は（特に、ロシアタンポポの場合は）以下の組成である。
【００４２】
感染培地中の炭素源の濃度は、好ましくは０．１質量％以上、より好ましくは１質量％以上、更に好ましくは２質量％以上、特に好ましくは３質量％以上である。該炭素源の濃度は、好ましくは１０質量％以下、より好ましくは６質量％以下、更に好ましくは４質量％以下である。なお、本明細書において、炭素源の濃度とは、糖類の濃度を意味する。
【００４３】
感染培地にオーキシン系植物ホルモン及びサイトカイニン系植物ホルモンを実質的に加えないことが好ましく、感染培地中のオーキシン系植物ホルモン、サイトカイニン系植物ホルモンの濃度としてはそれぞれ、具体的には、好ましくは１．０ｍｇ／Ｌ以下、より好ましくは０．１ｍｇ／Ｌ以下、更に好ましくは０．０５ｍｇ／Ｌ以下、特に好ましくは０．０１ｍｇ／Ｌ以下である。
【００４４】
組織片がアグロバクテリウム・ツメファシエンスに感染しやすくなるという理由から、感染培地は更にアセトシリンゴンを含むアセトシリンゴン含有培地であることも好ましい形態の１つである。感染培地にアセトシリンゴンを加える場合の、感染培地中のアセトシリンゴン濃度としては、好ましくは１〜５００μＭ、より好ましくは１０〜４００μＭ、更に好ましくは５０〜２５０μＭである。
【００４５】
感染培地のｐＨは、特に限定されないが、４．０〜１０．０が好ましく、５．０〜６．０がより好ましい。感染させる温度（感染培地の温度）は、０〜４０℃が好ましく、２０〜３６℃がより好ましく、２２〜３０℃が更に好ましく、２２〜２６℃が最も好ましい。感染工程は、暗所で行っても明所で行ってもよい。なお、本明細書において、暗所とは、照度が０〜０．１ｌｘであることを意味し、明所とは、照度が０．１ｌｘを超えていることを意味する。
【００４６】
上述の条件のなかでも、植物生長ホルモンを実質的に含まず、ｐＨが５．０〜６．０、培養温度が２２〜３０℃であることが特に好ましい。
【００４７】
以上のように、感染工程では、例えば、アグロバクテリウム・ツメファシエンス調製工程により得られたアグロバクテリウム・ツメファシエンスを液体の感染培地中に懸濁させ、該懸濁液中に、組織片を浸漬させることにより、組織片にアグロバクテリウム・ツメファシエンスを感染させることができる。そして、浸漬後、懸濁液と、組織片をろ紙等で分離し、分離した組織片は、次の共存培養工程に供されることが好ましい。
【００４８】
（共存培養工程）
共存培養工程では、例えば、感染工程により得られた組織片（アグロバクテリウム・ツメファシエンスが感染した組織片）を共存培養培地中で培養する。これにより、感染により組織片に導入された標的遺伝子等の遺伝子断片が、植物細胞の遺伝子中に組み込まれ、より安定した形質転換体を得ることができる。
【００４９】
なお、共存培養培地は、液体であっても固体であってもよいが、培地上に置床して培養することで、安定した形質転換体を得ることができるため、固体培養が好ましい。また、共存培養培地が液体培地である場合には、静置培養を行ってもよいし、振とう培養を行ってもよい。なお、共存培養培地を固体培地とする場合、固形化剤を使用して培地を固体にすればよい。固形化剤としては、特に限定されず、寒天、ゲランガム、アガロース、ゲルライト、ゼラチン、シリカゲル等が挙げられる。
【００５０】
共存培養培地としては、上述の基本培地や、該基本培地の組成に変更を加えた改変基本培地等のベースとなる培地に必要に応じて植物生長ホルモン、炭素源を加えたものを使用すればよい。なかでも、ＭＳ培地、ＬＳ培地、Ｂ５培地、ＷＰ培地が好ましく、ＭＳ培地又はその組成に変更を加えたＭＳ改変培地がより好ましい。植物生長ホルモン、炭素源としては、上記感染培地と同様のものが好適に用いられる。
【００５１】
好適な共存培養培地の組成は、植物種により異なるが、通常は（特に、ロシアタンポポの場合は）以下の組成である。
【００５２】
共存培養培地中の炭素源の濃度は、好ましくは０．１質量％以上、より好ましくは１質量％以上、更に好ましくは２質量％以上、特に好ましくは３質量％以上である。該炭素源の濃度は、好ましくは１０質量％以下、より好ましくは６質量％以下、更に好ましくは４質量％以下である。
【００５３】
共存培養培地にオーキシン系植物ホルモンを加える場合の、共存培養培地中のオーキシン系植物ホルモンの濃度としては、好ましくは０．０１ｍｇ／Ｌ以上、より好ましくは０．０５ｍｇ／Ｌ以上、更に好ましくは０．１ｍｇ／Ｌ以上である。該オーキシン系植物ホルモンの濃度は、好ましくは５．０ｍｇ／Ｌ以下、より好ましくは１．０ｍｇ／Ｌ以下である。
【００５４】
共存培養培地にサイトカイニン系植物ホルモンを加える場合の、共存培養培地中のサイトカイニン系植物ホルモンの濃度としては、好ましくは０．０１ｍｇ／Ｌ以上、より好ましくは０．１ｍｇ／Ｌ以上、更に好ましくは０．５ｍｇ／Ｌ以上である。特に好ましくは０．８ｍｇ／Ｌ以上である。該サイトカイニン系植物ホルモンの濃度は、好ましくは７．０ｍｇ／Ｌ以下、より好ましくは６．０ｍｇ／Ｌ以下である。
【００５５】
安定した形質転換体がより得やすくなるという理由から、共存培養培地は更にアセトシリンゴンを含むアセトシリンゴン含有培地であってもよい。共存培養培地中のアセトシリンゴン濃度としては、好ましくは１〜５００μＭ、より好ましくは１０〜４００μＭ、更に好ましくは５０〜２５０μＭである。
【００５６】
固体培地の場合、共存培養培地中の固形化剤の濃度は、好ましくは０．１質量％以上、より好ましくは０．２質量％以上、更に好ましくは０．５質量％以上である。該固形化剤の濃度は、好ましくは２質量％以下、より好ましくは１．１質量％以下、更に好ましくは０．８質量％以下である。
【００５７】
共存培養培地のｐＨは、特に限定されないが、４．０〜１０．０が好ましく、５．０〜６．０がより好ましい。なお、本明細書において、固体培地のｐＨは、固形化剤を除く全成分を添加した培地のｐＨを意味する。
【００５８】
培養温度は、０〜４０℃が好ましく、１０〜３６℃がより好ましく、２０〜２８℃が更に好ましく、２２〜２５℃が最も好ましい。培養は、暗所で行っても明所で行ってもよいが、暗所で培養を行うことが好ましく、暗所の照度は、０〜０．１ｌｘが好ましい。培養時間は、特に限定されないが、２〜４日間培養することが好ましい。
【００５９】
上述の条件のなかでも、植物生長ホルモンがオーキシン系植物ホルモン（特に、１−ナフタレン酢酸）、及び、サイトカイニン系植物ホルモン（特に、ベンジルアデニン）で、その濃度がそれぞれ、０．１〜１．０ｍｇ／Ｌ、０．８〜６．０ｍｇ／Ｌであり、培養温度が２０〜２８℃であることが特に好ましい。
【００６０】
以上のように、共存培養工程では、感染工程により得られた組織片（アグロバクテリウム・ツメファシエンスが感染した組織片）を上記共存培養培地中で培養することにより、感染により組織片に導入された標的遺伝子等の遺伝子断片が、植物細胞の遺伝子中に組み込まれ、より安定した形質転換体を得ることができる。この共存培養工程により得られた組織片（形質転換された組織片と、形質転換されていない組織片の混合物）は、次の選択培養工程に供されることが好ましい。
【００６１】
（選択培養工程）
選択培養工程では、感染工程で得られた組織片（感染工程の後、共存培養工程を行う場合には、共存培養工程で得られた組織片）のうち、標的遺伝子を獲得した組織片をハイグロマイシンにより選択する。すなわち、感染工程で得られた組織片を、ハイグロマイシンを含有する選択培養培地で培養して、標的遺伝子を獲得した組織片を選択する。
【００６２】
選択培養工程は、アグロバクテリウム法において一般的に行われている手法で行うことができる。この工程により、形質転換された組織片と、形質転換されていない組織片を選別できる。
【００６３】
上記選択培養工程は、感染工程で得られた組織片を、ハイグロマイシンを０．１〜２ｍｇ／Ｌの濃度で含有する選択培養培地で培養して、標的遺伝子を獲得した組織片を選択する工程であることが好ましい。選択培養培地中のハイグロマイシン濃度をこのような範囲とすることにより、より効率よく形質転換体を選抜することが可能となる。
【００６４】
選択培養工程では、まず、アグロバクテリウム・ツメファシエンスを滅菌するために、上述の基本培地や、該基本培地の組成に変更を加えた改変基本培地等のベースとなる培地にカルベニシリンやオーグメンチン等の抗生物質（除菌剤）を加えたものを使用して、感染工程により得られた組織片（感染工程の後、共存培養工程を行う場合には、共存培養工程により得られた組織片）（形質転換された組織片と、形質転換されていない組織片の混合物）の洗浄を行うことが好ましい。なお、滅菌の前に、上述の基本培地や、該基本培地の組成に変更を加えた改変基本培地等のベースとなる培地により予め感染工程により得られた組織片（感染工程の後、共存培養工程を行う場合には、共存培養工程により得られた組織片）（形質転換された組織片と、形質転換されていない組織片の混合物）を洗浄しておいてもよい。
【００６５】
次に、抗生物質により滅菌された組織片は、選択培養培地中で培養される。選択培養工程の培養条件は、形質転換された組織片（標的遺伝子を獲得した組織片）が選択的に生育できる条件であれば、特に限定されない。
【００６６】
なお、選択培養培地は、液体であっても固体であってもよい。また、選択培養培地が液体培地である場合には、静置培養を行ってもよく、振とう培養を行ってもよい。
【００６７】
選択培養培地としては、上述の基本培地や、該基本培地の組成に変更を加えた改変基本培地等のベースとなる培地に、ハイグロマイシンを加えたものを使用すればよい。なかでも、ＭＳ培地、ＬＳ培地、Ｂ５培地、ＷＰ培地にハイグロマイシンを加えたものが好ましく、ＭＳ培地にハイグロマイシンを加えたものがより好ましい。なお、必要に応じて、オーグメンチン等の抗生物質を加えてもよい。また、必要に応じて、植物生長ホルモン、炭素源を加えてもよい。植物生長ホルモン、炭素源としては、上記感染培地と同様のものが好適に使用できる。
【００６８】
上述のとおり選択培養培地にハイグロマイシンを加えることで、組織片（抗生物質により滅菌された組織片（形質転換された組織片と、形質転換されていない組織片の混合物））を培養することにより、形質転換された組織片は、標的遺伝子と共にハイグロマイシンに対する耐性遺伝子（ハイグロマイシン耐性遺伝子）も導入されているため当該培地中で生育することができるが、形質転換されていない組織片は、当該培地中で生育することがない。このように、ハイグロマイシンを加えた培地で、形質転換された組織片と、形質転換されていない組織片の混合物を培養することにより、形質転換された組織片を選択的に生育させることができる。
【００６９】
選択培養培地中のハイグロマイシンの濃度は、０．１〜２ｍｇ／Ｌであることが好ましいが、０．３ｍｇ／Ｌ以上がより好ましく、０．５ｍｇ／Ｌ以上が更に好ましい。また、１．５ｍｇ／Ｌ以下がより好ましく、１．０ｍｇ／Ｌ以下が更に好ましい。
【００７０】
好適な選択培養培地の組成は、植物種により異なるが、通常は（特に、ロシアタンポポの場合は）以下の組成である。
【００７１】
選択培養培地中の炭素源の濃度は、好ましくは０．１質量％以上、より好ましくは１質量％以上、更に好ましくは２質量％以上、特に好ましくは３質量％以上である。該炭素源の濃度は、好ましくは１０質量％以下、より好ましくは６質量％以下、更に好ましくは５質量％以下、より更に好ましくは４質量％以下である。
【００７２】
選択培養培地にオーキシン系植物ホルモンを加える場合の、選択培養培地中のオーキシン系植物ホルモンの濃度としては、好ましくは０．０１ｍｇ／Ｌ以上、より好ましくは０．０５ｍｇ／Ｌ以上、更に好ましくは０．１ｍｇ／Ｌ以上である。該オーキシン系植物ホルモンの濃度は、好ましくは５．０ｍｇ／Ｌ以下、より好ましくは１．０ｍｇ／Ｌ以下である。
【００７３】
選択培養培地にサイトカイニン系植物ホルモンを加える場合の、選択培養培地中のサイトカイニン系植物ホルモンの濃度としては、好ましくは０．０１ｍｇ／Ｌ以上、より好ましくは０．１ｍｇ／Ｌ以上、更に好ましくは０．５ｍｇ／Ｌ以上である。該サイトカイニン系植物ホルモンの濃度は、好ましくは７．０ｍｇ／Ｌ以下、より好ましくは６．０ｍｇ／Ｌ以下である。
【００７４】
選択培養培地が固体培地の場合、上記共存培養培地の場合と同様に、固形化剤を使用して培地を固体にすればよい。
【００７５】
固体培地の場合、選択培養培地中の固形化剤の濃度は、好ましくは０．１質量％以上、より好ましくは０．２質量％以上、更に好ましくは０．５質量％以上である。該固形化剤の濃度は、好ましくは２質量％以下、より好ましくは１．１質量％以下、更に好ましくは０．８質量％以下である。
【００７６】
選択培養培地のｐＨは、特に限定されないが、５．０〜７．０が好ましく、５．６〜６．５がより好ましい。
【００７７】
選択培養培地中での培養は、通常、温度、照明時間等の培養条件の管理された制御環境下で行われる。培養条件は適宜設定することができるが、例えば、培養温度は、０〜４０℃が好ましく、２０〜４０℃がより好ましく、２５〜３５℃が更に好ましい。培養は、暗所で行っても明所で行ってもよいが、光条件としては、例えば、１０００〜５００００ｌｘの照明の下、１０〜１６時間の明時間という条件などが好適に挙げられる。培養時間は、本発明の効果が得られる限り特に限定されないが、１〜２０週間培養することが好ましく、２〜１８週間がより好ましく、４〜１５週間が更に好ましい。そして、１〜４週間おきに継代培養することが好ましい。
【００７８】
上述の条件のなかでも、植物生長ホルモンがオーキシン系植物ホルモン（特に、１−ナフタレン酢酸）、及び、サイトカイニン系植物ホルモン（特に、ベンジルアデニン）で、その濃度がそれぞれ、０．１〜１．０ｍｇ／Ｌ、０．５〜６．０ｍｇ／Ｌであり、ハイグロマイシンを０．１〜２ｍｇ／Ｌの濃度で含み、培養温度が２５〜３５℃であることが特に好ましい。
【００７９】
以上のように、選択培養工程では、感染工程により得られた組織片（感染工程の後、共存培養工程を行う場合には、共存培養工程により得られた組織片）（形質転換された組織片と、形質転換されていない組織片の混合物）を、必要に応じて、抗生物質を使って洗浄し、アグロバクテリウム・ツメファシエンスを滅菌する。次に、組織片を選択培養培地中で培養することにより、形質転換された組織片を選択的に生育させることができ、形質転換された組織片と、形質転換されていない組織片を選別することができる。この選択培養工程により選別された組織片（形質転換された組織片）は、次のカルス誘導工程に供される。
【００８０】
（カルス誘導工程）
カルス誘導工程では、選択培養工程で得られた組織片を、サイトカイニン系植物ホルモン、オーキシン系植物ホルモン、及び、炭素源を含むカルス誘導培地で培養して、カルスを形成させる（カルスを誘導する）。なお、カルス誘導培地は、液体であっても固体であってもよいが、培地上に置床して培養することで、カルス化しやすいため、固体培養が好ましい。また、カルス誘導培地が液体培地である場合には、静置培養を行ってもよく、振とう培養を行ってもよい。
【００８１】
カルス誘導培地としては、上述の基本培地や、該基本培地の組成に変更を加えた改変基本培地等のベースとなる培地にサイトカイニン系植物生長ホルモン、オーキシン系植物ホルモン、及び、炭素源を加えたものを使用すればよい。なかでも、ＭＳ培地、ＬＳ培地、Ｂ５培地、ＷＰ培地が好ましく、ＭＳ培地又はその組成に変更を加えたＭＳ改変培地がより好ましい。サイトカイニン系植物生長ホルモン、オーキシン系植物ホルモン、炭素源としては、上記感染培地と同様のものが好適に用いられる。
【００８２】
カルス誘導培地は、ジャスモン酸、及びモノテルペン化合物からなる群より選択される少なくとも１種を含んでもよい。
モノテルペン化合物としては、Ｄ−リモネン、α−ピネン、β−ピネン、ｌ−メントール、ゲラニオール、カラン、ピナン、ミルセン、オシメン、コスメン等が挙げられる。なかでも、Ｄ−リモネン、α−ピネンが好ましい。
【００８３】
好適なカルス誘導培地の組成は、植物種により異なるが、通常は（特に、ロシアタンポポの場合は）以下の組成である。
【００８４】
カルス誘導培地中の炭素源の濃度は、好ましくは０．１質量％以上、より好ましくは１質量％以上、更に好ましくは２質量％以上、特に好ましくは３質量％以上である。該炭素源の濃度は、好ましくは１０質量％以下、より好ましくは６質量％以下、更に好ましくは５質量％以下、より更に好ましくは４質量％以下である。
【００８５】
カルス誘導培地中のオーキシン系植物ホルモンの濃度は、１．２ｍｇ／Ｌ未満であることが好ましい。より好ましくは１．０ｍｇ／Ｌ以下である。該オーキシン系植物ホルモンの濃度は、好ましくは０．０１ｍｇ／Ｌ以上、より好ましくは０．０５ｍｇ／Ｌ以上、更に好ましくは０．１ｍｇ／Ｌ以上である。
【００８６】
カルス誘導培地中のサイトカイニン系植物ホルモンの濃度としては、好ましくは０．０１ｍｇ／Ｌ以上、より好ましくは０．１ｍｇ／Ｌ以上、更に好ましくは０．５ｍｇ／Ｌ以上である。該サイトカイニン系植物ホルモンの濃度は、好ましくは１．２ｍｇ／Ｌ以下、より好ましくは１．０ｍｇ／Ｌ以下である。
【００８７】
カルス誘導培地が固体培地の場合、上記共存培養培地の場合と同様に、固形化剤を使用して培地を固体にすればよい。
【００８８】
固体培地の場合、カルス誘導培地中の固形化剤の濃度は、好ましくは０．１質量％以上、より好ましくは０．２質量％以上、更に好ましくは０．５質量％以上である。該固形化剤の濃度は、好ましくは２質量％以下、より好ましくは１．１質量％以下、更に好ましくは０．８質量％以下である。
【００８９】
カルス誘導培地のｐＨは、特に限定されないが、４．０〜１０．０が好ましく、５．６〜６．５がより好ましい。
【００９０】
培養温度は、０〜４０℃が好ましく、２０〜２６℃がより好ましい。培養は、暗所で行っても明所で行ってもよいが、光条件としては、例えば、１０００〜５００００ｌｘの照明の下、１０〜１６時間の明時間という条件などが好適に挙げられる。培養時間は、１〜７週間（好ましくは１〜６週間、より好ましくは１〜５週間）である。
【００９１】
上述の条件のなかでも、オーキシン系植物ホルモン（特に、１−ナフタレン酢酸）の濃度が１．２ｍｇ／Ｌ未満、サイトカイニン系植物ホルモン（特に、ベンジルアデニン）の濃度が０．５〜１．２ｍｇ／Ｌであり、培養温度が２０〜２６℃であることが特に好ましい。
【００９２】
以上のように、選択培養工程で得られた組織片を上記カルス誘導培地中で培養することにより、カルスの誘導を行うことが可能である。このカルス誘導工程で得られたカルスは、次の再生誘導工程に供されるが、より多量の植物を増殖できるという理由から、誘導したカルスを先ず増殖させ、増殖させたカルスを再生誘導工程に供することもできる。カルスの増殖は、カルスが増殖可能な条件でカルスを培養すればよく、例えば、カルス誘導工程と同様の培地組成、培養条件でカルスの培養を行うことにより、カルスの増殖が可能である。
【００９３】
（再生誘導工程）
再生誘導工程では、カルス誘導工程で得られたカルスを、植物生長ホルモン及び炭素源を含む再生誘導培地中で培養することにより不定胚、不定芽及びシュートを形成させる。カルスから不定胚を誘導（形成）し、不定胚を培養することにより、不定芽を経て安定的にシュートの形成を行うことができるため、再生誘導工程の培養条件は、カルスから不定胚を誘導できる条件であれば、特に限定されない。
【００９４】
再生誘導工程では、例えば、カルス誘導工程により誘導されたカルスを再生誘導培地中で培養して不定胚を誘導する。なお、再生誘導培地は、液体であっても固体であってもよいが、培地上に置床して培養することで、不定胚を誘導しやすいため、固体培養が好ましい。また、再生誘導培地が液体培地である場合には、静置培養を行ってもよく、振とう培養を行ってもよい。
【００９５】
再生誘導培地としては、上述の基本培地や、該基本培地の組成に変更を加えた改変基本培地等のベースとなる培地に植物生長ホルモン及び炭素源を加えたものを使用すればよい。なかでも、ＭＳ培地、ＬＳ培地、Ｂ５培地、ＷＰ培地が好ましく、ＭＳ培地又はその組成に変更を加えたＭＳ改変培地がより好ましい。植物生長ホルモン、炭素源としては、上記感染培地と同様のものが好適に使用できる。また、不定胚の誘導に適しているという理由から、植物生長ホルモンとして、オーキシン系植物ホルモン及びサイトカイニン系植物ホルモンを含むことが好ましく、１−ナフタレン酢酸及びベンジルアデニンを含むことがより好ましい。
【００９６】
好適な再生誘導培地の組成は、植物種により異なるが、通常は（特に、ロシアタンポポの場合は）以下の組成である。
【００９７】
再生誘導培地中の炭素源の濃度は、好ましくは０．１質量％以上、より好ましくは１質量％以上、更に好ましくは２質量％以上、特に好ましくは３質量％以上である。該炭素源の濃度は、好ましくは１０質量％以下、より好ましくは６質量％以下、更に好ましくは５質量％以下、より更に好ましくは４質量％以下である。
【００９８】
再生誘導培地中のオーキシン系植物ホルモンの濃度は、０．２ｍｇ／Ｌ未満であることが好ましい。より好ましくは０．１ｍｇ／Ｌ以下である。該オーキシン系植物ホルモンの濃度は、好ましくは０．０１ｍｇ／Ｌ以上、より好ましくは０．０５ｍｇ／Ｌ以上、更に好ましくは０．０７ｍｇ／Ｌ以上である。
【００９９】
再生誘導培地中のサイトカイニン系植物ホルモンの濃度としては、好ましくは０．１ｍｇ／Ｌ以上、より好ましくは０．４ｍｇ／Ｌ以上、更に好ましくは０．５ｍｇ／Ｌ以上である。該サイトカイニン系植物ホルモンの濃度は、好ましくは１．２ｍｇ／Ｌ以下、より好ましくは１．１ｍｇ／Ｌ以下、更に好ましくは１．０ｍｇ／Ｌ以下である。
【０１００】
再生誘導培地が固体培地の場合、上記共存培養培地の場合と同様に、固形化剤を使用して培地を固体にすればよい。
【０１０１】
固体培地の場合、再生誘導培地中の固形化剤の濃度は、好ましくは０．１質量％以上、より好ましくは０．２質量％以上、更に好ましくは０．５質量％以上である。該固形化剤の濃度は、好ましくは２質量％以下、より好ましくは１．１質量％以下、更に好ましくは０．８質量％以下である。
【０１０２】
再生誘導培地には、組織の成長阻害物質蓄積の防止のため、ＦｅＮａＥＤＴＡを培地中に添加してもよい。また、不定胚形成促進のために、ジベレリンを添加してもよい。その他、カルベニシリンやオーグメンチン等の抗生物質（除菌剤）や、ハイグロマイシンを添加してもよい。
【０１０３】
再生誘導培地のｐＨは、特に限定されないが、４．０〜１０．０が好ましく、５．６〜６．５がより好ましい。
【０１０４】
培養温度は、０〜４０℃が好ましく、２０〜３６℃がより好ましく、２３〜３２℃が更に好ましい。培養は、暗所で行っても明所で行ってもよいが、光条件としては、例えば、１０００〜５００００ｌｘの照明の下、１０〜１６時間の明時間という条件などが好適に挙げられる。培養時間は、特に限定されないが、１〜１０週間培養することが好ましく、４〜１０週間培養することがより好ましい。
【０１０５】
上述の条件のなかでも、オーキシン系植物ホルモン（特に、１−ナフタレン酢酸）の濃度が０．２ｍｇ／Ｌ未満、サイトカイニン系植物ホルモン（特に、ベンジルアデニン）の濃度が０．４〜１．１ｍｇ／Ｌであり、培養温度が２３〜３２℃であることが特に好ましい。
【０１０６】
以上のように、再生誘導工程では、カルス誘導工程で得られたカルスを上記再生誘導培地中で培養することにより、不定胚、不定芽及びシュートを形成させることが可能である。この再生誘導工程により形成されたシュートは、次の発根工程に供されるが、形成されたシュートを更に伸長させてから、より伸長したシュートを発根工程に供してもよい。シュートの伸長は、シュートが伸長可能な条件でシュートを培養すればよく、例えば、再生誘導工程と同様の培地組成、培養条件でシュートの培養を行うことにより、シュートの伸長が可能である。
【０１０７】
（発根工程）
発根工程では、再生誘導工程で得られたシュートを、発根培地で培養することにより発根させる。
【０１０８】
発根工程では、例えば、再生誘導工程により形成されたシュートを発根培地中で培養して発根させる。なお、発根培地は、液体であっても固体であってもよいが、培地上に置床して培養することで、発根させやすいため、固体培養が好ましい。また、発根培地が液体培地である場合には、静置培養を行ってもよく、振とう培養を行ってもよい。
【０１０９】
発根培地としては、上述の基本培地や、該基本培地の組成に変更を加えた改変基本培地等のベースとなる培地に炭素源、必要に応じて植物生長ホルモンを加えたものを使用すればよい。なかでも、ＭＳ培地、ＬＳ培地、Ｂ５培地、ＷＰ培地が好ましく、ＭＳ培地又はその組成に変更を加えたＭＳ改変培地がより好ましい。植物生長ホルモン、炭素源としては、上記感染培地と同様のものが好適に使用できるが、好適に発根できるという理由から、発根培地は植物生長ホルモンを含まない培地であることが好ましい。
【０１１０】
好適な発根培地の組成は、植物種により異なるが、通常は（特に、ロシアタンポポの場合は）以下の組成である。
【０１１１】
発根培地中の炭素源の濃度は、好ましくは０．１質量％以上、より好ましくは１質量％以上、更に好ましくは２質量％以上、特に好ましくは３質量％以上である。該炭素源の濃度は、好ましくは１０質量％以下、より好ましくは６質量％以下、更に好ましくは５質量％以下、より更に好ましくは４質量％以下である。
【０１１２】
発根培地中にオーキシン系植物ホルモン及びサイトカイニン系植物ホルモンを実質的に加えないことが好ましく、発根培地中のオーキシン系植物ホルモン、サイトカイニン系植物ホルモンの濃度としてはそれぞれ、具体的には、好ましくは１．０ｍｇ／Ｌ以下、より好ましくは０．１ｍｇ／Ｌ以下、更に好ましくは０．０５ｍｇ／Ｌ以下、特に好ましくは０．０１ｍｇ／Ｌ以下である。
【０１１３】
発根培地が固体培地の場合、上記共存培養培地の場合と同様に、固形化剤を使用して培地を固体にすればよい。
【０１１４】
固体培地の場合、発根培地中の固形化剤の濃度は、好ましくは０．１質量％以上、より好ましくは０．２質量％以上、更に好ましくは０．５質量％以上である。該固形化剤の濃度は、好ましくは２質量％以下、より好ましくは１．１質量％以下、更に好ましくは０．８質量％以下である。
【０１１５】
発根培地には、好適に発根できるという理由から、カルベニシリンやオーグメンチン等の抗生物質（除菌剤）を添加してもよい。
【０１１６】
発根培地のｐＨは、特に限定されないが、４．０〜１０．０が好ましく、５．６〜６．５がより好ましい。
【０１１７】
培養温度は、０〜４０℃が好ましく、１０〜３６℃がより好ましく、２０〜３０℃が更に好ましい。培養は、暗所で行っても明所で行ってもよいが、光条件としては、例えば、１０００〜５００００ｌｘの照明の下、１０〜１６時間の明時間という条件などが好適に挙げられる。培養時間は、特に限定されないが、１〜１０週間培養することが好ましく、２〜８週間培養することがより好ましい。
【０１１８】
上述の条件のなかでも、植物生長ホルモンを実質的に含まず、培養温度が２０〜３０℃であることが特に好ましい。
【０１１９】
以上のように、発根工程では、再生誘導工程で得られたシュートを上記発根培地中で培養することにより、発根させることが可能であり、発根させたシュート（幼植物）が得られる。この幼植物は、直接土壌に移植してもよいが、バーキュライト等の人工土壌に移すなどして馴化してから土壌に移植することが好ましい。
【０１２０】
以上の説明のとおり、本発明は、Ｔａｒａｘａｃｕｍ属植物由来の組織片に、標的遺伝子又はそのフラグメント、及び、ハイグロマイシン耐性遺伝子を含むプラスミドを含有するアグロバクテリウム・ツメファシエンスを感染させる感染工程、該感染工程で得られた組織片のうち、上記標的遺伝子を獲得した組織片をハイグロマイシンにより選択する選択培養工程、該選択培養工程で得られた組織片を、サイトカイニン系植物ホルモン、オーキシン系植物ホルモン、及び、炭素源を含むカルス誘導培地で培養してカルスを形成させるカルス誘導工程、該カルス誘導工程で得られたカルスを、植物生長ホルモン及び炭素源を含む再生誘導培地で培養して、不定胚、不定芽及びシュートを形成させる再生誘導工程、並びに、該再生誘導工程で得られたシュートを、発根培地で培養して、発根させる発根工程を含む製造方法であるので、これにより、Ｔａｒａｘａｃｕｍ属植物の形質転換植物を短期間で効率的に製造することができる。
【０１２１】
なお、上記再生（製造）された形質転換植物が実際に形質転換されているかは当該植物からＤＮＡ抽出を行い、標的遺伝子等が導入されているかをＰＣＲ分析により分析する、といった方法や、更にＧＵＳ遺伝子やＧＦＰ遺伝子といったレポーター遺伝子をベクターに組み込んでおき、ＧＵＳ観察やＧＦＰ観察をする、といった方法等の従来公知の方法により確認することができる。
【実施例】
【０１２２】
実施例に基づいて、本発明を具体的に説明するが、本発明はこれらのみに限定されるものではない。
【０１２３】
以下、実施例で使用した各種薬品について、まとめて説明する。
ゲルライト：和光純薬工業（株）製
アセトシリンゴン：東京化成工業（株）製
ＮＡＡ：１−ナフタレン酢酸
ＢＡ：ベンジルアデニン
ハイグロマイシン：和光純薬工業（株）製
オーグメンチン：グラクソ・スミスクライン社製
【０１２４】
（実施例１）
［播種・休眠打破・発根・栽培］
シャーレに濾紙２〜３枚を重ねて敷き、脱イオン水で湿らせた。濾紙上に、ロシアタンポポ（Ｔａｒａｘａｃｕｍ  ｋｏｋ−ｓａｇｈｙｚ）の種子（Ｕｎｉｔｅｄ  Ｓｔａｔｅｓ  Ｄｅｐａｒｔｍｅｎｔ  ｏｆ  Ａｇｒｉｃｕｌｔｕｒｅ，  Ａｎｉｍａｌ  ａｎｄ  Ｐｌａｎｔ  Ｈｅａｌｔｈ  Ｉｎｓｐｅｃｔｉｏｎ  Ｓｅｒｖｉｃｅ，  Ｐｌａｎｔ  Ｐｒｏｔｅｃｔｉｏｎ  ａｎｄ  Ｑｕａｒａｎｔｉｎｅより入手）を互いに１．５ｃｍ以上離して置いた。シャーレのふたをしてパラフィルムでシールした。シャーレを冷蔵庫（４℃）に３日間入れておき、休眠打破した。休眠打破処理後は、種を発芽培地に置床し、１６〜２２℃の培養機内に置いた。発芽培地は、ＭＳ培地（植物細胞工学入門（学会出版センター）ｐ２０〜ｐ３６に記載）に、ショ糖を２０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１２５】
［アグロバクテリウム・ツメファシエンス調製工程］
標的遺伝子と共にハイグロマイシン耐性遺伝子を挿入したプラスミドをエレクトロポレーション法によって導入したアグロバクテリウム・ツメファシエンス（ＥＨＡ１０５系統）をＬＢ液体培地中で培養温度２８℃、一晩振とう培養した。６００ｎｍで測定した吸光度（ＯＤ６００）＝約１．０になるまで培養し、遠心分離で集菌し、懸濁用溶液（感染培地；０．１ｍｍｏｌ／Ｌのアセトシリンゴン、０．０１ｍｍｏｌ／Ｌのメルカプトエタノール、３０ｇ／Ｌのショ糖を添加し、ｐＨ５．８に調整したＭＳ液体培地）でＯＤ６００＝０．１〜０．２になるように調整した。なお、吸光度は、サーモ・サイエンティフィック社製のＮａｎｏ  Ｄｒｏｐ  ２０００  ｃにより測定した。
【０１２６】
［感染工程、共存培養工程］
発芽後１ヶ月栽培した植物の子葉を５ｍｍ幅に切り出し（１００個）、アグロバクテリウム・ツメファシエンスを懸濁させた感染培地（４０ｍＬ）中に２５℃で５〜１０分静置した（感染工程）。その後、子葉片に付着した余分なアグロバクテリウム・ツメファシエンス懸濁液を取り除き、共存培養培地上に、向軸面を下にして、置床し、培養温度２５℃、暗所（０．１ｌｘ未満の明るさ）で、２日間共存培養した（共存培養工程）。
共存培養培地は、ＭＳ培地に、ベンジルアデニン（ＢＡ）、１−ナフタレン酢酸（ＮＡＡ）、ショ糖をそれぞれ、１．０ｍｇ／Ｌ、０．１ｍｇ／Ｌ、３０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１２７】
［選択培養工程］
共存培養後の子葉片を回収し、ハイグロマイシンを含有する表１に記載の選択培養培地に移植し、培養温度２５℃、２４時間中１６時間の照明下（２０００ｌｘ）で４週間培養した。なお、培地交換を１週間おきに行った。
選択培養培地は、ＭＳ培地に、表１に記載の濃度でベンジルアデニン（ＢＡ）、１−ナフタレン酢酸（ＮＡＡ）、オーグメンチン、ハイグロマイシン、ショ糖を添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１２８】
［カルス誘導工程］
選択培養工程で選抜された子葉片をカルス誘導培地に移植し、培養温度２５℃、２４時間中１６時間の照明下（２０００ｌｘ）で１週間培養した。その結果、子葉片からカルスが誘導されているものが確認された。
カルス誘導培地は、ＭＳ培地に、ベンジルアデニン（ＢＡ）、１−ナフタレン酢酸（ＮＡＡ）、ショ糖をそれぞれ、０．５ｍｇ／Ｌ、０．１ｍｇ／Ｌ、３０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１２９】
［再生誘導工程］
カルス誘導工程において子葉片から生じたカルスを再生誘導培地に移植し、培養温度２５℃、２４時間中１６時間の照明下（２０００ｌｘ）で４週間培養した。なお、培地交換を２週間おきに行った。その結果、カルスから不定胚の形成後、シュート（不定芽）が形成されているものが確認された。
再生誘導培地は、ＭＳ培地に、ベンジルアデニン（ＢＡ）、１−ナフタレン酢酸（ＮＡＡ）、オーグメンチン、ハイグロマイシン、ショ糖をそれぞれ、０．５ｍｇ／Ｌ、０．１ｍｇ／Ｌ、３７５ｍｇ／Ｌ、０．５ｍｇ／Ｌ、３０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１３０】
［発根工程］
再生誘導工程においてカルスから生じた１〜２ｃｍ程度のシュート（不定芽）をカルスから切り出し、発根培地に移植し、培養温度２５℃、２４時間中１６時間の照明下（２０００ｌｘ）で３週間培養した。その結果、発根が観察され、再生植物体が得られたものがあった。得られた再生植物体の様子を写した写真を図１（図１の（ａ）、（ｂ））に示す。
発根培地は、ＭＳ培地に、オーグメンチン、ショ糖をそれぞれ、３７５ｍｇ／Ｌ、３０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１３１】
【表１】
2020005538.tif 000002
【０１３２】
［再生個体における遺伝子導入の確認］
再生個体における遺伝子の導入の確認を以下の通りにして行った。実施例１の発根に至った再生植物体の葉の一部からＣＴＡＢ法によりＤＮＡを抽出し、抽出したＤＮＡを鋳型にハイグロマイシン耐性遺伝子に特異的な下記プライマーを用いて、ＰＣＲ反応を行った。ＰＣＲ反応は、９４℃で３分加熱した後、９４℃で３０秒、５５℃で３０秒、７２℃で１分を１サイクルとして３５サイクル行い、最後に７２℃で１０分加熱して行った。そして、ＰＣＲ反応後の溶液の一部をアガロースゲル電気泳動して、遺伝子の導入を確認した。
プライマー１（Ｈｙｇ−Ｆ）：５′−ＧＣＴＧＡＴＣＣＣＣＡＴＧＴＧＴＡＴＣＡＣＴＧＧＣ−３′
プライマー２（Ｈｙｇ−Ｒ）：５′−ＣＴＡＴＴＣＣＴＴＴＧＣＣＣＴＣＧＧＡＣＧＡＧＴＧＣ−３′
【０１３３】
実施例１におけるアガロースゲル電気泳動の試験結果を示す泳動写真を図２に示す。図２より、実施例１の発根に至った再生植物体にハイグロマイシン耐性遺伝子が挿入されていることが確認できた。この結果より、実施例１の発根に至った再生植物体が形質転換植物であることが確認された。
【０１３４】
（参考例１１〜１６、比較参考例１７）
［播種・休眠打破・発根・栽培］
シャーレに濾紙２〜３枚を重ねて敷き、脱イオン水で湿らせた。濾紙上に、ロシアタンポポ（Ｔａｒａｘａｃｕｍ  ｋｏｋ−ｓａｇｈｙｚ）の種子（Ｕｎｉｔｅｄ  Ｓｔａｔｅｓ  Ｄｅｐａｒｔｍｅｎｔ  ｏｆ  Ａｇｒｉｃｕｌｔｕｒｅ，  Ａｎｉｍａｌ  ａｎｄ  Ｐｌａｎｔ  Ｈｅａｌｔｈ  Ｉｎｓｐｅｃｔｉｏｎ  Ｓｅｒｖｉｃｅ，  Ｐｌａｎｔ  Ｐｒｏｔｅｃｔｉｏｎ  ａｎｄ  Ｑｕａｒａｎｔｉｎｅより入手）を互いに１．５ｃｍ以上離して置いた。シャーレのふたをしてパラフィルムでシールした。シャーレを冷蔵庫（４℃）に３日間入れておき、休眠打破した。休眠打破処理後は、種を発芽培地に置床し、１６〜２２℃の培養機内に置いた。発芽培地は、ＭＳ培地に、ショ糖を２０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１３５】
［カルス誘導工程］
発芽後１ヶ月栽培した植物の子葉を５ｍｍ幅に切り出し、カルス誘導培地上に、向軸面を下にして、置床し、培養温度２５℃、２４時間中１６時間の照明下（２０００ｌｘ）で、４週間培養した。培地は２週間ごとに新しい培地に変更した。
カルス誘導培地は、ＭＳ培地に、表２に記載の濃度でベンジルアデニン（ＢＡ）、１−ナフタレン酢酸（ＮＡＡ）、ショ糖を添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１３６】
［誘導成功率］
参考例１１〜１６、比較参考例１７において、カルスが誘導された子葉片数をカウントして、誘導成功率を算出した。結果を表２に示す。
誘導成功率（％）＝カルス誘導成功子葉片数（個）／試験子葉片数（個）×１００
【０１３７】
【表２】
2020005538.tif 000003
【０１３８】
（参考例２１〜２２、比較参考例２３）
［播種・休眠打破・発根・栽培］
シャーレに濾紙２〜３枚を重ねて敷き、脱イオン水で湿らせた。濾紙上に、ロシアタンポポ（Ｔａｒａｘａｃｕｍ  ｋｏｋ−ｓａｇｈｙｚ）の種子（Ｕｎｉｔｅｄ  Ｓｔａｔｅｓ  Ｄｅｐａｒｔｍｅｎｔ  ｏｆ  Ａｇｒｉｃｕｌｔｕｒｅ，  Ａｎｉｍａｌ  ａｎｄ  Ｐｌａｎｔ  Ｈｅａｌｔｈ  Ｉｎｓｐｅｃｔｉｏｎ  Ｓｅｒｖｉｃｅ，  Ｐｌａｎｔ  Ｐｒｏｔｅｃｔｉｏｎ  ａｎｄ  Ｑｕａｒａｎｔｉｎｅより入手）を互いに１．５ｃｍ以上離して置いた。シャーレのふたをしてパラフィルムでシールした。シャーレを冷蔵庫（４℃）に３日間入れておき、休眠打破した。休眠打破処理後は、種を発芽培地に置床し、１６〜２２℃の培養機内に置いた。発芽培地は、ＭＳ培地に、ショ糖を２０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１３９】
［カルス誘導工程］
発芽後１ヶ月栽培した植物の子葉を５ｍｍ幅に切り出し、カルス誘導培地上に、向軸面を下にして、置床し、培養温度２５℃、２４時間中１６時間の照明下（２０００ｌｘ）で、４週間培養した。培地は２週間ごとに新しい培地に変更した。
カルス誘導培地は、ＭＳ培地に、ベンジルアデニン（ＢＡ）、１−ナフタレン酢酸（ＮＡＡ）、ショ糖をそれぞれ、０．５ｍｇ／Ｌ、０．１ｍｇ／Ｌ、２０ｇ／Ｌ添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１４０】
［再生誘導工程］
カルス誘導工程において子葉片から生じたカルスを再生誘導培地に移植し、培養温度２５℃、２４時間中１６時間の照明下（２０００ｌｘ）で４週間培養した。培地は２週間ごとに新しい培地に変更した。
再生誘導培地は、ＭＳ培地に、表３に記載の濃度でベンジルアデニン（ＢＡ）、１−ナフタレン酢酸（ＮＡＡ）、オーグメンチン、ハイグロマイシン、ショ糖を添加し、培地のｐＨを５．８に調整した後、ゲルライトを３ｇ／Ｌ添加して、オートクレーブ（１２１℃、２０分）で滅菌し、クリーンベンチ内で冷却することにより調製した。
【０１４１】
［健全シュート率］
参考例２１〜２２、比較参考例２３において、水浸しておらず、発根に適した状態である健全シュートの個数、水浸しているシュート（水浸状シュート）の個数をカウントして、健全シュート率を算出した。結果を表３に示す。
健全シュート率（％）＝健全シュート数（個）／試験総シュート数（個）×１００
【０１４２】
【表３】
2020005538.tif 000004
【０１４３】
（配列表フリーテキスト）
配列番号１：プライマー１
配列番号２：プライマー２
【図１】
2020005538.tif 000005
【図２】
2020005538.tif 000006
【配列表】
2020005538000001.app